(57)【特許請求の範囲】
【請求項１】
第１のキャリアが第１の周波数帯域幅で送信され、第２のキャリアが第２の周波数帯域幅で送信される通信システムにおける利用のための端末装置であって、第１の時間期間の間は前記端末装置が前記第１のキャリアでデータを受信可能であり、前記第１の時間期間における前記第１のキャリア上のデータの伝送フォーマットは、前記第１の時間期間の間の前記第２のキャリア上のデータの伝送フォーマットと互換性が無く、
前記端末装置は端末装置の第１のクラスに属し、前記第１の時間期間における前記第１のキャリア上の制御データは、前記端末装置の第１のクラスと異なる端末装置の第２のクラスによって、前記第２のクラスの端末装置に前記第１の時間期間の間に前記第１のキャリアとの同期維持を可能とするために受信可能であり、
前記端末装置は、前記第１の時間期間が生じるタイミングおよび前記第１の時間期間の継続時間を判断するスケジューリング部を備え、
前記スケジューリング部は、前記端末装置のＵＳＩＭに記憶された事前設定情報に基づいて前記第１の時間期間が生じるタイミングおよび前記第１の時間期間の継続時間を判断する、端末装置。
【請求項２】
前記端末装置は、前記第１の時間期間の間に前記第１のキャリアでデータを受信し、前記第１の時間期間外である第２の時間期間の間に前記第１のキャリアで送信されたデータを受信しないように構成され、前記第１の時間期間の前記タイミングは、前記通信システムにおけるスケジューリングエンティティによりサブフレームごとに設定される、請求項１に記載の端末装置。
【請求項３】
第１のキャリアが第１の周波数帯域幅で送信され、第２のキャリアが第２の周波数帯域幅で送信される通信システムにおける端末装置とデータ通信する方法であって、
第１の時間期間の間に前記端末装置が第１のキャリアでデータを受信することを含み、
前記第１の時間期間における前記第１のキャリア上のデータの伝送フォーマットは、前記第１の時間期間の間の前記第２のキャリア上のデータの伝送フォーマットと互換性が無く、
前記端末装置は端末装置の第１のクラスに属し、前記第１の時間期間における前記第１のキャリア上の制御データは、前記端末装置の第１のクラスと異なる端末装置の第２のクラスによって、前記第２のクラスの端末装置に前記第１の時間期間の間に前記第１のキャリアとの同期維持を可能とするために受信可能であり、
前記方法は、前記端末装置のＵＳＩＭに記憶された事前設定情報に基づいて前記第１の時間期間が生じるタイミングおよび前記第１の時間期間の継続時間を判断することをさらに含む、方法。
【請求項４】
前記第１の時間期間の間に前記第１のキャリアでデータを受信し、前記第１の時間期間外である第２の時間期間の間に前記第１のキャリアで送信されたデータを受信しないことを含み、前記第１の時間期間の前記タイミングは、前記通信システムにおけるスケジューリングエンティティによりサブフレームごとに設定される、請求項３に記載の方法。
【請求項５】
コンピュータに読み込まれた時に前記コンピュータに請求項３〜４のいずれか一項に記載の方法を実行させるコンピュータ実行可能指示を有する、コンピュータプログラム。
【請求項６】
請求項５に記載のコンピュータプログラムを表現する情報信号が記録されたコンピュータ読み取り可能な媒体。
【発明の詳細な説明】
【技術分野】
【０００１】
本発明は、移動通信ネットワークにおいて端末へおよび端末からデータを通信するシステム、方法および装置に関する。
【背景技術】
【０００２】
３ＧＰＰにより定義されたＬＴＥ（Ｌｏｎｇ  Ｔｅｒｍ  Ｅｖｏｌｕｔｉｏｎ）構造のような第４世代移動通信ネットワークの発達が、これらの進歩したネットワークがデータレートの向上を可能とするため、しばしば注目されている。例えば、ＬＴＥによって提供される改善された無線インタフェースおよび伝送技術によって、ユーザは、動画ストリーミングおよびオンラインゲームのような、従前は固定ライン接続を介してのみ利用可能であったモバイルアプリケーションを楽しむことが可能になるだろう。
【０００３】
しかし、高帯域幅のアプリケーションと共に、高データレートを活用するよりむしろ、第４世代移動通信技術によって可能となるロバストな無線インタフェースおよび向上したカバレッジの活用を代わりに求める他のアプリケーションのクラスが現在発達している。実例はいわゆるＭＴＣ（Ｍａｃｈｉｎｅ  Ｔｙｐｅ  Ｃｏｍｍｕｎｉｃａｔｉｏｎ）アプリケーションを含む。ＭＴＣアプリケーションは、比較的低頻度に少量のデータを通信する、複雑さの減少された半自律的または自律的な装置という特徴を有する。実例は、後エバ顧客の家に位置し、ガス、水および電気などのユティリティの顧客消費に関する情報を周期的にＭＴＣサーバに送信する、いわゆるスマートメータを含む。
【０００４】
第４世代移動通信システム構造を用いる完全に独立したＭＴＣタイプネットワークを発展させることは、少なくとも適切なキャリア（すなわち、レギュレータがネットワークオペレータに割り当てた、ネットワークのオペレーションのために確保された周波数スペクトルの指定されたセクション）へのアクセスを許可するライセンスコストにより、非経済的であろう。より実用的なアプローチは、より従前の通信装置（例えば、携帯電話、データカードおよびスマートフォンなど）をサポートするために用いられる標準の第４世代ネットワーク内でＭＴＣタイプネットワークを展開することである。
【発明の概要】
【発明が解決しようとする課題】
【０００５】
しかし、ＭＴＣタイプ装置を標準の第４世代移動通信ネットワークにおいて単純に展開することは非常に非効率である。例えば、ネットワークで動作するＭＴＣタイプ装置は、送信されるデータの総量に比例して大量のランダムアクセス要求を生成することが予想される。シグナリングデータに関する伝送は、莫大な量のアップリンクおよびダウンリンクリソースを使用し、また、重要なネットワーク処理キャパシティを消費する。仮に相当数のＭＴＣ装置が展開されると、ネットワークの他のユーザのために利用可能なネットワークリソースをかなり減少させ、このため、サービスの利用可能な品質を低下させる結果をもたらす。さらに、多くのＭＴＣアプリケーションのデータ伝送はタイムクリティカルではない（すなわち、ＭＴＣデータ送信における遅延は容認される。）。一方、多くの他のアプリケーションは、音声電話または動画ストリーミングのようにタイムクリティカルなデータ伝送を含む。このため、ネットワークリソースは、ＭＴＣ装置からのタイムクリティカルでないデータの送信により、他のユーザによるタイムクリティカルデータの送信を犠牲にして消費されるだろう。
【０００６】
したがって、ネットワークにおいて非ＭＴＣ装置が利用可能なサービス品質に実質的に不利な影響を与えることなく、ＭＴＣタイプネットワークを標準の第４世代移動通信ネットワークと統合することを可能とするための技術の提供が望まれる。
【０００７】
本発明の第１の観点によれば、１または２以上の端末およびネットワークへ、および、から、データを通信する通信システムが提供される。システムは、第１のキャリアを第１の周波数帯域幅で送信し、第２のキャリアを第２の周波数帯域幅で送信する１または２以上の送信機を備える。第１の時間期間の間、送信機は、第１のクラスの端末により第１のキャリアで受信可能なデータを送信し、第２のクラスの端末により第２のキャリアで受信可能なデータを送信する。第１の時間期間外である第２の時間期間の間、１または２以上の送信機は、第１および第２のキャリアの組み合わせで第２のクラスの端末にデータを送信する。第１の時間期間における第１のキャリア上のデータの伝送フォーマットは、第１の時間期間の間の第２のキャリア上のデータの伝送フォーマットと互換性が無く、１または２以上の送信機は、端末装置の第２のクラスによって、第２のクラスの端末デバイスに第１の時間期間の間に第１のキャリアとの同期維持を可能とするために受信可能であるデータを送信する。
【０００８】
３ＧＰＰ定義のＬＴＥ構造のような第４世代移動通信ネットワークにおいては、ネットワークで動作する基地局および移動端末（すなわち、端末装置）の間の無線インタフェースを強化する進歩した特徴が提供される。ＬＴＥにおいては、例えばそのような特徴はキャリアアグリゲーションである。ＬＴＥネットワークでキャリアアグリゲーション機能が有効化されると、通常動作中には、移動端末へおよびから標準のプライマリキャリアを用いてデータが通信される。しかし、例えば非常に大量なデータを短い時間期間に移動端末に送信するなど、移動端末に利用可能な帯域幅を増加させる必要が生じた場合、移動端末にデータ通信のための追加的なキャリアが割り当てられ得る。この追加的なキャリアはプライマリキャリアに「アグリゲーション」され、移動端末へまたはからのデータ通信のために利用可能な帯域幅が一時的に増加する。
【０００９】
本発明によれば、この知られたキャリアアグリゲーション技術が、ＭＴＣタイプネットワークを標準のＬＴＥネットワークに有利に統合するために有効に用いられることが認識される。
【００１０】
本発明によれば、ＬＴＥネットワークにおけるキャリアアグリゲーションの実施のために持ち応える追加的なキャリアは、キャリアアグリゲーションを用いるＬＴＥデータの送信のための利用と（すなわち、ＬＴＥネットワークにおいて必要が生じた場合にメインキャリアとアグリゲーションされる）、ＭＴＣタイプネットワークにおけるＭＴＣタイプデータの送信のための利用との間で時間多重され得る。このため、ＭＴＣタイプデータが追加的なキャリアで送信される第１の時間期間の間は、追加的なキャリアで送信されるユーザデータの伝送フォーマットは、プライマリキャリアで送信されるユーザデータと異なる（すなわち、互換性が無い。）。代替的に、または追加的に、ＭＴＣタイプデータに使用される割当シグナリング（ＬＴＥの場合はＰＤＣＣＨ）の伝送フォーマットは、ＬＴＥデータに用いられる割当シグナリングの伝送フォーマットと異なってもよい。しかし、第１の時間期間の外側（すなわち、プライマリキャリアおよび追加的なキャリアの双方がＬＴＥデータのために利用されるとき）、ユーザデータまたは割当シグナリングの伝送フォーマットは双方のキャリアで同一（すなわち、互換性を有する。）になるだろう。
【００１１】
この技術は、不均衡な量のネットワークリソースの消費によってＬＴＥ移動端末が利用可能なサービス品質をＭＴＣ移動端末が低下させる可能性を低くしながら、ＭＴＣ移動端末が標準ＬＴＥネットワークからのキャリアリソース（そうでなければキャリアアグリゲーションに用いられる追加的なキャリア）を用いてデータを通信することを可能とする。これは、追加的なキャリアをＭＴＣタイプデータの送信のために利用することにより、プライマリキャリアは常にＬＴＥデータの送信のために利用可能だからである。
【００１２】
さらに、追加的なキャリアは、ＭＴＣタイプデータの送信のために利用される間（すなわち、第１の時間期間）、ＬＴＥ移動端末（すなわち、装置の第２のクラス）が追加的なキャリア（第１のキャリア）と同期したままでいられる事を可能とする制御データを有して送信される。この方法では、ＬＴＥ移動端末が常に追加的なキャリアをモニタし続けられるので、追加的なキャリアがキャリアアグリゲーションでなくＭＴＣタイプデータの送信に利用されているときも、標準のＬＴＥ移動端末にトランスパレントのままである。有利には、追加的なキャリアがＭＴＣタイプデータの送信に使用されている期間の標準ＬＴＣ移動端末への影響は、一時的に追加的な（アグリゲーション）キャリアでスケジュールができないことだけである。キャリアアグリゲーションの利用は、典型的には、ユーザ端末によって提供される測定結果およびスケジュールルールなどに基づいてｅＮｏｄｅＢのスケジューラによって判断されるので、これはＬＴＥ移動端末の動作には影響しない。
【００１３】
本発明の第２の観点によれば、１または２以上の移動端末へおよびから、第１の周波数帯域幅で送信される第１のキャリアおよび第２の周波数帯域幅で送信される第２のキャリアでデータを通信する方法が提供される。この方法は、第１の時間期間の間は、第１のキャリアで第１のクラスの端末によって受信可能なデータを送信し、第２のキャリアで第２のクラスの端末によって受信可能なデータを送信し、第１の時間期間の外側の第２の時間期間の間は、第１および第２のキャリアの組み合わせで第２のクラスの端末にデータを送信することを含む。第１の時間期間の第１のキャリアのデータの伝送フォーマットは、第１の時間期間の第２のキャリアのデータの伝送フォーマットと互換性が無い。第２のクラスの端末が第１の時間期間の間に第１のキャリアと同期を維持できるように、第１の時間期間の間に第２のクラスの端末によって受信可能な制御データが第１のキャリアで送信される。
【００１４】
本発明の第３の観点によれば、第１のキャリアが第１の周波数帯域幅で送信され、第２のキャリアが第２の周波数帯域幅で送信される通信システムにおいて、１または２以上の端末およびネットワークへおよびからデータを通信する基地局が提供される。基地局は、少なくとも第１の周波数帯域幅に広がる第１のキャリアで送信可能な送信機を備える。第１の時間期間の間、送信機は、第１のキャリアで第１のクラスの端末によって受信可能なデータを送信する。第１の時間期間の第１のキャリアのデータの伝送フォーマットは、第１の時間期間の第２のキャリアのデータの伝送フォーマットと互換性が無く、送信機は、第２のクラスの端末が第１の時間期間の間に第１のキャリアと同期を維持できるように、第１の時間期間の間に第２のクラスの端末によって受信可能な制御データを第１のキャリアで送信する。
【００１５】
本発明の第４の観点によれば、第１のキャリアが第１の周波数帯域幅で送信され、第２のキャリアが第２の周波数帯域幅で送信される通信システムにおいて利用される端末装置が提供される。第１の時間期間の間、端末装置は第１のキャリアでデータを受信可能である。第１の時間期間の第１のキャリアのデータの伝送フォーマットは、第１の時間期間の第２のキャリアのデータの伝送フォーマットと互換性は無い。端末装置は第１のクラスの端末装置に属し、第１の時間期間の第１のキャリアの制御データは、第１のクラスの端末装置と異なる第２のクラスの端末装置によって、第２のクラスの端末装置が第１の時間期間の間に第１のキャリアとの同期を維持するために受信される。
【００１６】
本発明のさらなる多様な観点および実施形態は特許請求の範囲において定義される。
【図面の簡単な説明】
【００１７】
本発明の実施形態は、好ましい部分が対応する参照番号と共に提供される添付の図面を参照して、ほんの一例として説明される。
【００１８】
【図１】標準ＬＴＥベースの移動通信ネットワークの一例を示す概要図を提供する。
【図２】キャリアアグリゲーション技術が利用される場合の周波数割り当てを示す概要図を提供する。
【図３】専用メッセージネットワークを示す概要図を提供する。
【図４】本発明の例によって構成されたシステムを示す概要図を提供する。
【図５】本発明の例によって時間に対する２つのキャリアの使用を示す概要図である。
【図６】図６ａは標準ＬＴＥダウンリンクサブフレームにおけるレファレンスシンボルの分散と同期信号を示す概要図を提供し、図６ｂは本発明の例によって専用メッセージネットワークからデータが送信される期間にキャリアで送信される信号を示す概要図を提供する。
【図７】本発明の例によって構成される端末の概要図である。
【発明を実施するための形態】
【００１９】
標準のＬＴＥネットワーク
図１は、ＬＴＥ３ＧＰＰ構造標準に従って設計された標準の移動通信ネットワークの概要図を提供する。ＬＴＥネットワークは、ｅＮｏｄｅＢ（ｅｎｈａｎｃｅｄ  ＮｏｄｅＢ）と当分野で呼ばれる基地局１０２に接続されたコアネットワーク部分１０１を含む。ｅＮｏｄｅＢ１０２は、無線インタフェースを介して１または２以上の端末１０３へデータを送信し、１または２以上の端末１０３からデータを受信するように構成される。端末１０３は、一般的に「移動端末（ｍｏｂｉｌｅ  ｔｅｒｍｉｎａｌ）」と呼ばれ、携帯電話、スマートフォン、およびデータカードなどを含む。しかし、「端末」および「移動端末」という語は、それらの動作において物理的な可搬性はないが、スマートメータや他の固定無線装置のように典型的には静止したままの端末装置もまた含むことを理解されたい。
【００２０】
ＬＴＥコアネットワーク１０１は、ｅＮｏｄｅＢ１０２へおよびからデータをルートするサービングゲートウェイ（Ｓ−ＧＷ）１４を含む。サービングゲートウェイ１４は、外部ネットワーク１０９からのデータをＬＴＥコアネットワークへまたはＬＴＥコアネットワークの外側へルートするパケットデータネットワークゲートウェイ（Ｐ−ＧＷ）１０５と接続される。ＬＴＥコアネットワーク１０１は、サービングゲートウェイ１４と接続されたＭＭＥ（Ｍｏｂｉｌｉｔｙ  Ｍａｎａｇｅｍｅｎｔ  Ｅｎｔｉｔｙ）１０６をまた含み、ＭＭＥ１０６は、ＬＴＥネットワークに接続しようとする移動端末１０３を、ＨＳＳ（Ｈｏｍｅ  Ｓｕｂｓｃｒｉｂｅｒ  Ｓｅｒｖｅｒ）１０７に記憶された加入者プロフィール情報を取り出すことによって認証する役割を担う。典型的には、ＭＭＥ１０６はｅＮｏｄｅＢ１０２とも接続される。当分野で知られているように、図１に示したように標準のＬＴＥ移動通信ネットワークはさらなるネットワーク要素を含むが、明瞭性のためにそれらは省略されている。
【００２１】
図１に示したような移動ネットワークのオペレータは、典型的には、基地局および移動端末が属し、ネットワークがデータを送信することが許される無線スペクトルの区分が割り当てられる。例えば、図１に示したＬＴＥ移動通信システムは、ｅＮｏｄｅＢ１０２から移動端末１０３へデータが送信される周波数スペクトルの指定された区分をそれに割り当て得る。これは、第１の帯域幅（ＢＷ１）に渡って広がるキャリア（キャリア１）１０８を示す概要図を含む図１に示される。この例では、ｅＮｏｄｅＢ１０２から移動端末１０３へ送信される全てのデータ（すなわち、ダウンリンクデータ）はキャリア１０８で送信される。理解されるように、利用される変調技術に依存して、アップリンクデータ（すなわち、移動端末１０３からｅＮｏｄｅＢ１０２へ送信されるデータは、分離されたキャリア（周波数分割多重スキームの場合）、または同じキャリア（時間分割多重スキームの場合）で送信される。
【００２２】
キャリアアグリゲーション
図１を参照して説明したように、標準のＬＴＥ移動通信ネットワークにおいて、データは、ｅＮｏｄｅＢ１０２と移動端末１０３の間で帯域幅ＢＷ１に渡って広がるキャリア１０８で送信される。無線チャネル品質、使用される変調スキーム、および干渉の存在などと共に、ｅＮｏｄｅＢ１０２と移動端末１０３の間で無線インタフェースを介して送信され得るデータの品質を制限する要素の１つは、キャリア１０８の帯域幅ＢＷ１である。帯域幅が広いほど、より多くのデータを送信できる。これは、ＬＴＥの場合においては、例えば、より広い帯域幅はより多数の直交サブキャリアを利用できるからである。
【００２３】
３ＧＰＰ標準のリリース１０に従って構成されたようなある標準のＬＴＥ移動通信ネットワークにおいては、移動端末およびｅＮｏｄｅＢは、送信されるデータの品質を一時的に向上可能とするために、いずれのデータが送信されるかによって帯域幅を動的に変化させるように適合され得る。これは、移動通信オペレータに割り当てられた全帯域幅をいわゆる「コンポーネントキャリア」に分割することにより達成される。このコンセプトは図２に示される。
【００２４】
図２は、特定の移動通信ネットワークのための周波数スペクトル割当ての概要図を提供する。キャリアアグリゲーション技術の目的で、第１の帯域幅ＢＷ１に渡って広がる第１のコンポーネントキャリア（ＣＣ１）２０１が定義される。また、第２の帯域幅ＢＷ２に渡って広がる第２のコンポーネントキャリア（ＣＣ２）２０１が定義される。
【００２５】
キャリアアグリゲーション技術に従い、移動端末は、通常オペレーションの間、第１のコンポーネントキャリア２０２でｅＮｏｄｅＢからデータを受信し得る、または、ｅＮｏｄｅＢへデータを送信し得る。しかし、移動端末に大量のデータを送信または受信する要求、例えば大きなファイルのダウンロードまたはアップロード、または、動画ストリーミングセッションの開始、が突発的にあった場合、ネットワークは、ｅＮｏｄｅＢおよび／または移動端末に、第１のコンポーネントキャリア２０１および第２のコンポーネントキャリア２０２の双方を用いる無線インタフェースでデータを送信することを許可し得る。または、ｅＮｏｄｅＢは双方のキャリアを同時に管理しており、いずれのキャリアまたはいずれのアグリゲーションされたキャリアのグループを個別の端末にアサインするかについて自律的に決定し得る（他のネットワークとは独立して）。
【００２６】
図２から理解されるように、第１のコンポーネントキャリアＢＷ１の帯域幅および第２のコンポーネントキャリアＢＷ２の帯域幅の合計であるアグリゲーションされた帯域幅ＢＷ３が提供される。
【００２７】
図２に関連して説明した、プライマリキャリアに隣接するセカンダリキャリアを一時的に帯域幅を増加させるために装置に利用可能とするキャリアアグリゲーションは、キャリアアグリゲーションの簡易形態の１つである。しかし、当分野で知られているように、より複雑な技術のバリエーションも存在する。例えば、ある実施では、帯域幅の異なる複数のセカンダリキャリアが利用可能である。また、セカンダリキャリアは、図２に示したように周波数スペクトルにおいてプライマリキャリアに隣接している必要は無く、代わりにメインキャリアから離れてもよい。しかし、簡潔性のために、本発明についてキャリアアグリゲーションは図２に示した単純な形態で議論する。しかし、本発明はより複雑なバージョンのキャリアアグリゲーションを用いて同様に実施され得ることに理解されたい。
【００２８】
ＤＭＮ（Ｄｅｄｉｃａｔｅｄ  Ｍｅｓｓａｇｉｎｇ  Ｎｅｔｗｏｒｋ）
いわゆるＤＭＮは、ＭＴＣデータを、典型的には複雑さが低減された複数の移動端末へおよびから通信するためのネットワークとして考えられてきた。ＤＭＮは、いずれの適切なネットワーク構造および無線インタフェースを用いても実施可能であるが、ある実施は好ましくはＬＴＥ構造に由来するネットワーク構造および無線インタフェースを用いて実施され得る。しかし、ＤＭＮで用いられる伝送フォーマットは、典型的には、ＬＴＥネットワークのような標準の移動ネットワークと、１または２以上の以下の点で相違する。
【００２９】
・無線インタフェースが異なり得る。ＬＴＥはダウンリンクにおいてＯＦＤＭＡ無線インタフェースを用い、アップリンクにおいてＳＣ−ＦＤＭＡ無線インタフェースを用いる。これら双方の無線インタフェースは、所定の帯域幅に渡って送信される複数のサブキャリアを利用する。ダウンリンクのデータは、所定数のサブフレーム（通常は１０）からなる一連の連続するフレームの形態で送信される。各サブフレームは、所定数のレファレンス／パイロットシンボルを含む複数のシンボル（通常は１４）からなる。ＤＭＮのアップリンクおよびダウンリンク無線インタフェースはこれと異なり得る。例えば、ＯＦＤＭスキームは用いられ得るが、標準ＬＴＥネットワークで用いられるものに対し、異なるレファレンス／パイロットシンボルおよび／または異なるレファレンス／パイロットシンボル密度の簡素化された無線フレーム構成および低減された数のサブキャリアからなる。
【００３０】
・制御シグナリングが異なり得る。標準のＬＴＥネットワークにおいては、制御データの送信波、比較的少数の移動端末にアップリンクおよびダウンリンク無線リソースの大部分を割当てるために最適化される。しかし、ＤＭＮ制御シグナリングは、比較的多数の移動端末にアップリンクおよびダウンリンクリソースの小さい部分を割当てるために最適化され得る。例えば、これは、アップリンクおよびダウンリンク割り当て（例えば、ＬＴＥ  ＰＤＣＣＨと等しい）に向けられる継続時間長の向上を必要とするだろう。他の例は：
【００３１】
・より小さいＰＤＣＣＨが存在し得る（ＰＤＣＣＨは標準ＬＴＥよりも少数のビットを用いてエンコードされる）。
【００３２】
・ＰＤＣＣＨが標準ＬＴＥのＰＤＣＣＨと異なる位置（異なるシンボル）に存在し得える。
【００３３】
・ＰＤＣＣＨのＣＲＣ（Ｃｙｃｌｉｃ  Ｒｅｄｕｎｄａｎｃｙ  Ｃｈｅｃｋ）サイズが標準ＬＴＥよりも小さくあり得る。
【００３４】
・ＤＭＮのＰＤＣＣＨの帯域幅はキャリア帯域幅の全体をカバーしない。
【００３５】
ＤＭＮにおけるＰＤＣＣＨのサーチ範囲は標準ＬＴＥのサーチスペースと異なり得る。
・
【００３６】
ＰＤＣＣＨのエンコードは標準ＬＴＥのそれとは異なり得る。
【００３７】
・ＤＭＮにおいて適用されるトランスポートチャネル処理は標準ＬＴＥのそれとは異なり得る。
【００３８】
・ＬＴＥにおいて、アップリンクおよびダウンリンクキャリアの最大帯域幅は２０ＭＨｚである。ＤＭＮ移動端末に用いられる送信機の複雑性の低減を可能とするために、アップリンクおよびダウンリンクキャリアの最大帯域幅は抑制され得る。
【００３９】
・１または２以上のＭＩＭＯ、キャリアアグリゲーションおよびＨＡＲＱなどのＬＴＥによって提供される進化した機能性はＤＭＮに必ずしも有効化されないだろう。
【００４０】
しかし、広義において、少なくとも、ＬＴＥ移動端末はＤＭＮユーザデータおよび／または割り当てシグナリングを通常デコードできず、ＤＭＮ移動端末はＬＴＥ移動端末に送信されたユーザデータをデコードできないように、ユーザデータ（すなわち、ＤＭＮ移動端末へおよびから送信されるデータ）または割り当てシグナリング（例えばＰＤＣＣＨ）は、標準ＬＴＥネットワークにおける標準ＬＴＥデータ伝送に用いられる伝送フォーマットをと異なる（すなわち、互換性が無い。）。
【００４１】
図３は、ＤＭＮを示す概要図を提供する。図３に示した例において、ＤＭＮは、図１に示したＬＴＥ移動通信ネットワークの要素に対応するネットワーク要素を備える。特に、ＤＭＮは、ＤＭＮｅＮｏｄｅＢ（ＤｅＮｏｄｅＢ）３０２へおよびからデータを通信するＤＭＮ移動端末（ＤＭＴ）３０３、およびＤＭＮｅＮｏｄｅＢ３０２におよびからのデータをルートするＤＭＮサービングゲートウェイ（ＤＳ−ＧＷ）３０４を含む。上述したように、図３に示したＤＭＮ移動端末３０３は、それらの動作において物理的な可搬性（すなわち、場所間の移動が自由）はないが、スマートメータや他の固定無線装置のように典型的には静止したままの端末装置もまた含む。また、ネットワークは、外部ネットワーク３０９へおよびからのデータをＤＭＮへおよびＤＭＮの外側へルートするＤＭＮパケットゲートウェイ（ＤＰ−ＧＷ）３０５を含む。また、ＤＭＮは、ＤＨＳＳ（ＤＭＮ  Ｈｏｍｅ  Ｓｕｂｓｃｒｉｂｅｒ  Ｓｅｒｖｅｒ）３０７に接続されたＤＭＭＥ（ＤＭＮ  ＭＭＥ）３０６を含む。これらの要素の機能は図１に示したＬＴＥネットワークの対応するネットワーク要素と対応し、簡潔さのためにこれ以上の議論はしない。これらの要素の機能は、ＬＴＥネットワークで利用されるように、同一の物理エンティティに統合されてもよい。データは、帯域幅ＢＷ２を有するキャリア３０８を介してＤＭＮ移動端末３０３へ送信され、およびＤＭＮ移動端末３０３から受信される。典型的には、ＤＭＮキャリア（キャリア２）の帯域幅ＢＷ２は、図１のＬＴＥ移動通信ネットワークに示した移動端末１０３へおよび／またはからデータを送信するために用いられるキャリア（キャリア１）１０８の帯域幅ＢＷ１よりも小さい。
【００４２】
多くの状況において、図３に示したＤＭＮをスタンドアローンネットワークとして実施することは、特に必要キャリア（すなわち、キャリア２）を利用するライセンスコストにより、非実用的である。このため、図１に示したＬＴＥネットワークにおいて使用されるキャリアリソースのいくらかを共有することが望まれる。しかしこれは、ＭＴＣタイプ装置によるシグナリングリソースの不均衡な消費のような、ＬＴＥネットワークにおける従前の装置と共に単純にＭＴＣタイプ装置を展開することによって生じる不効率を軽減しながらなされるべきである。
【００４３】
ＤＭＮデータ送信のためのコンポーネントキャリアの時間多重利用
図４は、本発明の実施形態によって構成されたシステムを示す概要図を提供する。システムは、図１に示したＬＴＥコアネットワーク１０１に対応するＬＴＥコアネットワーク部分４０１を有する。また、システムは、図３に示したＤＭＮコアネットワーク３０１に対応するＤＭＮコアネットワーク部分４０２を含むＤＭＮを有する。
【００４４】
ＬＴＥコアネットワーク４０１は、プライマリキャリアＣＣ１を介して移動端末４０４へおよびからデータを通信するｅＮｏｄｅＢ４０３に結び付けられている。移動端末４０４は標準のＬＴＥ移動端末である。相応に、ＤＭＮコアネットワーク４０２は、セカンダリキャリアＣＣ２を介してＤＭＮ移動端末４０６へおよびからデータを通信するＤＭＮｅＮｏｄｅＢ４０５に結び付けられている。図４においては、ｅＮｏｄｅＢ４０３およびＤＭＮｅＮｏｄｅＢ４０５が異なる物理エンティティとして示されている。しかし、本発明の多くの実施例においては、図４においてｅＮｏｄｅＢ４０３およびＤＭＮｅＮｏｄｅＢ４０５を含む破線４０８によって示したように、ｅＮｏｄｅＢ４０３およびＤＭＮｅＮｏｄｅＢ４０５は同一の物理基地局において同一配置されることが予想される。これらの例では、異なるエンティティとしてのｅＮｏｄｅＢ４０３およびＤＭＮｅＮｏｄｅＢ４０５の意味は完全に論理的であり、実際には、それらは単一のｅＮｏｄｅＢとして実施される。
【００４５】
ＬＴＥコアネットワーク４０１、ｅＮｏｄｅＢ４０３およびＬＴＥ移動端末４０４は、上述したように、１または２以上の移動端末へおよび／またはからのデータ送信のために追加的なキャリアを一時的に割り当てることを可能とするキャリアアグリゲーション機能を有する。ダウンリンクの場合、通常動作においては、ｅＮｏｄｅＢ４０３からＬＴＥ移動端末４０４へのデータ送信のためにプライマリキャリアＣＣ１が割り当てられる。しかし、ＬＴＥ移動端末４０４に送信されるデータ品質が増加した場合（例えば、ＬＴＥ移動端末４０４のユーザが、ＬＴＥコアネットワーク４０１からの高水準なデータの送信を必要とする動画ストリーミングアプリケーションを開始した）、セカンダリキャリアＣＣ２が第１のキャリアにアグリゲーションされ、データがｅＮｏｄｅＢ４０３からＬＴＥ移動端末４０４に送信される全帯域幅を向上する。
【００４６】
このため、図４に示したシステムにおいては、ＣＣ２は、ＬＴＥコアネットワーク４０１からのデータ送信およびＤＭＮコアネットワーク４０２からのデータ送信のために利用され得る。ＬＴＥデータおよびＤＭＮデータの双方がＣＣ２で同時に送信されることを避けるために、制御部４０７が提供される。制御部４０７は、ＬＴＥデータがｅＮｏｄｅＢ４０３へおよびから、いつ、いずれのキャリアで送信されるか、および、ＤＭＮデータがＤＭＮｅＮｏｄｅＢ４０５へおよびから、いつ、いずれのキャリアで送信されるかを調整する。ｅＮｏｄｅＢ４０３およびＤＭＮｅＮｏｄｅＢ４０５が単一の物理エンティティとして実施される実装では、制御部４０７と関連付けられた機能もまたこの物理エンティティに位置する。このため、図４に示した破線４０８は制御部４０７も含んでいる。
【００４７】
ある例では、制御部４０７は、ある期間中にＣＣ２でＤＭＮｅＮｏｄｅＢ４０５からいずれのＤＭＮデータが送信されることも防ぎ、代わりに、必要が生じたＬＴＥネットワークにおけるキャリアアグリゲーションのためにＣＣ２が確保されるようにシステムを制御する。他の期間では、制御部４０７はＤＭＮデータがＣＣ２を用いて送信されることを許可する。このコンセプトは図５に示される。
【００４８】
図５は、継時的なＣＣ１およびＣＣ２の使用を示した概要図を提供する。図５に示したように、非ＤＭＮ送信はＣＣ１でいずれの時間においても許可される。しかし、ＤＭＮ送信はＣＣ２で時間期間Ｔ１の間に許可される。Ｔ１の外側では、ＣＣ２でのＤＭＮ送信は許可されない。この方法では、ＣＣ２でのＤＭＮ送信とＬＴＥ送信の間で衝突が起きない事が保証される。
【００４９】
Ｔ１は適切などのような時間期間であってもよい。例えば、あるシナリオでは、ＬＴＥネットワークの負荷が軽い時間期間を識別し（例えば、ネットワークの多くの人間ユーザが眠っているであろう２時から４時の間）、Ｔ１をこの期間に渡って広げるよう調整することが好適であろう。この場合、Ｔ１は２時間続くだろう。他のシナリオにおいては、Ｔ１はより短い、例えば、毎時の最初の１分であってもよいし、５分間毎の最初の３０秒であってもよい。他の例では、Ｔ１は所定の無線フレームの送信に対応するように調整され得る（詳細は以下説明する。）。このため、ある例では、Ｔ１は、多数の送信フレームを介して送信される１または２以上の送信フレームに対応してもよい。例えば、Ｔ１は送信される１００フレーム毎の最後の１０フレームに渡って広げられてもよい。より詳細については後述するように、ＤＭＮまたはＬＴＥへのＣＣ２の割当ては動的であり、これはネットワークのスケジューラによって制御される（例えば、制御部４０７、ｅＮｏｄｅＢ４０３またはＤＭＮｅＮｏｄｅＢ４０５）。
【００５０】
理解されるように、図４に示したシステムを構成するネットワーク要素は、単に論理的な表示に過ぎない。ＬＴＥコアネットワーク部分およびＤＭＮコアネットワーク部分は実際には単一のコアネットワークとして実施されてもよい。さらに、上述したように、ある例では、制御部４０７、ｅＮｏｄｅＢ４０３およびＤＭＮｅＮｏｄｅＢ４０５を単一の物理的な基地局として構成することも可能である。
【００５１】
ＤＭＮ送信期間におけるＣＣでの制御情報の送信
標準のＬＴＥ移動端末との、特に標準キャリアアグリゲーション機能を有する移動端末との好適な下位互換性を確保するために、ＤＭＮデータの送信のためのＣＣ２の利用は標準の移動端末に「トランスパレント（ｔｒａｎｓｐａｒｅｎｔ）」であることが望まれる。すなわち、Ｔ１期間が終了すると直ぐに、ＬＴＥ移動端末に再びＣＣ２へのキャンプオンまたはディスカバーさせる必要無しに（移動端末ディスカバリーおよびキャンプオンのコンセプトは当分野において良く知られており、簡潔性の目的で詳細な議論はしない。）、キャリアアグリゲーションのスケジューリングのためにＣＣ２が直ちに利用可能となるようにＣＣ２が送信されることが望まれる。
【００５２】
これを達成するため、ＬＴＥ移動端末をＣＣ２と同期したままにすることを可能とするために、十分な情報がＴ１の間にＣＣ２で送信されるべきである。当分野で知られているように、移動端末が基地局からキャリアで送信された信号と同期される場合、以下が可能である。
（ａ）無線チャネルのモニターまたは測定の実行（例えば、信号強度または信号品質の観点で）
（ｂ）キャリアで送信される無線フレームのタイミングを追跡することにより行うフレームトラッキング
【００５３】
ＬＴＥ移動端末にＣＣ２との同期維持を可能とするために、Ｔ１の間、ＤＭＮｅＮｏｄｅＢ４０５によりＣＣ２が送信されるとき、Ｔ１の外側の期間にＣＣ２に存在するＬＴＥ制御信号がＴ１の間にＣＣ２内でも保たれる。ある例では、それらの制御信号は、ＬＴＥリファレンスシンボルおよびＬＴＥ同期信号を含む。このコンセプトは図６ａおよび図６ｂに示される。
【００５４】
図６ａは、当分野で知られているＬＴＥダウンリンクサブフレームの簡易概念図を提供する。併せて、複数のＬＴＥサブフレーム（通常は１０）がＬＴＥフレームを形成する。サブフレームは、複数のリファレンスシンボル（すなわち、パイロットシンボル）６０１および同期信号６０２を含む。リファレンスシンボル６０１は、サブフレームの全体に分散され、受信移動端末が基地局送信機と移動端末受信機の間のチャネル状態を推定するために用いられる。チャネル状態の推定は、移動端末に、受信信号を当該信号が基地局からの送信中に影響を受けるチャネルエフェクトを抑制するために処理すること、およびチャネル品質の測定結果を基地局へ報告することを可能とする。同期信号６０２は、一度検出されたら、ＬＴＥ移動端末に、フレーム同期およびダウンリンク信号を送信している特定のｅＮｏｄｅＢのセル識別子の判断を達成または維持することを可能とする。さらに、または選択的に、リファレンス信号はフレーム同期を維持するために用いられてもよい。同期信号６０２は典型的には毎サブフレームでは送信されないが、通常、毎ＬＴＥフレームで少なくとも一度は送信される。ＬＴＥダウンリンクフレームの残りの部分はユーザデータや他の制御データのような他のＬＴＥデータの送信のために利用される。図６ａに示したサブフレーム構造は、ＣＣ２がキャリアアグリゲーションのために利用されるＴ１の外側の期間の間にＣＣ２で通常ブロードキャストされるそれに対応する。理解されるように、ＬＴＥサブフレームは、ＰＤＣＣＨ（Ｐｈｙｓｉｃａｌ  ｄｏｗｎｌｉｎｋ  Ｃｏｎｔｒｏｌ  Ｃｈａｎｎｅｌ）のような追加的な要素を含む。しかし、簡素化の目的で、それらの追加的な要素は図６ａに示していない。
【００５５】
ＣＣ２がＤＭＮデータの送信のために利用されるＴ１の間、標準ＬＴＥ移動端末がＣＣ２との同期を継続することを支援ために、ＬＴＥ移動端末は、理想的にはリファレンスシンボルおよび／または同期信号を受信し続ける。図６ｂは、本発明の例に従ってＴ１ｎｏ間にＣＣ２で送信される信号を示す簡易概念図を提供する。比較の容易のために、図６ｂに示した信号は図６ａに示したサブフレーム構造に対応する画、ＣＣ２で送信される信号はどのような適切な形態もとることが可能であることに理解されたい。
【００５６】
図６から分かるように、本発明の例によれば、Ｔ１の間、ＣＣ２は、レファレンスシンボル６０１および同期信号６０２を有して送信され、レファレンスシンボル６０１および同期信号６０２は、Ｔ１の外側の期間、すなわち、ＣＣ２が標準のキャリアアグリゲーションに利用されるときにＣＣ２で送信されるそれらに対応する。サブフレーム６０５の残りの部分はＤＭＮデータの送信に利用され得る。例えば、図６ｂは、サブフレーム６０５のレファレンス信号６０１および同期信号６０２に占有されていない残りの部分内に位置するＤＭＮデータブロック６０６を示している。この例では、ＤＭＮデータブロック６０６は通常ＬＴＥ動作と互換性が無く、それはユーザデータのために利用可能な全てのシンボルには及ばない。
【００５７】
ＤＭＮモードにおけるＣＣ２のスケジューリング
上述したように、ＣＣ２がＤＭＮデータ送信に利用されるとき、ＬＴＥ移動端末がＣＣ２の同期を維持しＣＣ２の測定を行えることを保証するためにＣＣ２が関連する制御データを保持するので、これはＬＴＥ移動端末に対してトランスパレントである。
【００５８】
しかし、ＣＣ２がＬＴＥデータの送信のために利用されている時にＤＭＮ移動端末がＣＣ２を利用しようとすることを防ぐこと、ＤＭＮ端末にＣＣ２に関する割当メッセージのモニタを可能とすること、およびランダムアクセス要求機会がいつ存在するかを判断することのために、ＤＭＮ移動端末にＤＭＮデータの送信のためにＣＣ２がいつ利用できるか（すなわち、Ｔ１が生じるタイミング）を判断可能とすることが望まれる。
【００５９】
静的スケジューリング
ある例では、いわゆる静的スケジューリング技術が利用される。この例では、ＤＭＮ端末は、所定の継続時間およびＴ１が生じる所定のタイミングを示すスケジュール情報が事前設定される。継続時間は、Ｔ１に対する経過時間として明示的に示されてもよいし、ＤＭＮとしてのＣＣ２の利用の終了タイミングとして暗示的に示されてもよい。この事前設定されたスケジュール情報はどのような適切な方法で移動端末に適用されてもよい。例えば、スケジュール情報はネットワークにおいて展開する前に各ＤＭＮ移動端末のＵＳＩＭに記憶され得る。このため、ＬＴＥモード（すなわち、Ｔ１の外側期間）とＤＭＮモード（すなわち、Ｔ１の間）の間でＣＣ２が比較的頻繁に、しかし短時間期間で切り替えられるシナリオにおいては、各ＤＭＮ移動端末は、事前設定されたスケジュール情報からそれ、例えば、ＣＣ２で送信される１００フレームごとの最初の１０フレームがＤＭＮデータの送信に利用されること、を判断できるだろう。
【００６０】
ＬＴＥモードとＤＭＮモードの間でＣＣ２が低頻度で、しかし長時間期間で切り替えられる他のシナリオにおいては、各移動端末は、事前設定されたスケジュール情報からそれ、例えば、２時から４時の間がＤＭＮデータの送信のために利用されること、を判断できるだろう。
【００６１】
半静的スケジューリング
他の例では、いわゆる半静的スケジューリング技術が利用される。この技術は、継続時間Ｔ１およびＴ１が生じるタイミングを示す事前設定されたスケジュール情報がＤＭＮ移動端末に提供される点で上述した静的スケジューリング技術と類似する。しかし、この例では、各ＤＭＮ移動端末に記憶された事前設定されたスケジューリング情報は、ＤＭＮコアネットワークからＤＭＮ移動端末に送信される高レイヤシグナリングを通じて再設定され得る。例えば、Ｔ１の間、各ＤＭＮ移動端末によって受信可能なＤＭＮ制御チャネルを有してＣＣ２が送信される。Ｔ１が生じるタイミングまたは継続時間Ｔ１に何かしらの変更がある場合、この情報は、ＤＭＮ制御チャネルで送信され、各ＤＭＮ移動端末によって受信され得る。そして、各ＤＭＮ移動端末は記憶されたスケジューリング情報をそれに応じて更新し得る。
【００６２】
動的スケジューリング
他の例では、動的スケジューリング技術が利用される。この例では、ＤＭＮデータの送信のためにＣＣ２が利用可能であることをＤＭＮ移動端末に示すＤＭＮ物理レイヤ信号が利用される。この物理レイヤ信号は、どのような適切な方法、例えば、Ｔ１の間に送信されるフレームにＤＭＮ固有同期信号を挿入する、によっても実施され得る。この例では、ＤＭＮ移動端末が周期的または恒常的にＣＣ２をモニタし、ＤＭＮ固有同期信号が検出された場合、ＤＭＮ移動端末は、ＣＣ２がＤＭＮデータの送信のために利用可能となったことに注意する。または、ＰＢＣＨ（Ｐｈｙｓｉｃａｌ  Ｂｒｏａｄｃａｓｔ  ＣＨａｎｎｅｌ）で送信されるＭＩＢ（Ｍａｓｔｅｒ  Ｉｎｆｏｒｍａｔｉｏｎ  Ｂｌｏｃｋ）のスペアビットを、ＣＣ２がＤＭＮデータの送信のために利用可能であることを示すために利用し得る。このモードは、ＰＢＣＨの伝送フォーマットがＬＴＥ端末およびＤＭＮ端末の双方と互換性が有る場合に適切であろう。ＬＴＥリリース１０およびリリース１０までについては、ＭＩＢに標準ＬＴＥ移動端末が無視する１０スペアビットが存在する。そのようなものとして、１または２以上のそれらのＭＩＢビットを利用してＤＭＮが存在することをＤＭＮ移動端末にシグナリングし得る。
【００６３】
いくつかの実施形態では、ＤＭＮがアクティブであるか否かをＤＭＮ移動端末にシグナリングする必要は無い。これらの実施形態では、ＤＭＮ移動端末がサブフレームのデコードを試み、ＤＭＮが実際にアクティブである場合にのみ割当てを成功裏にデコードするだろう。
【００６４】
アップリンクにおいては、ダウンリンクＤＭＮが非アクティブである場合、ＤＭＮ移動端末は、ＣＣ２のＬＴＥアップリンクにおいてＲＡＣＨリクエストを送信することにより、ＤＭＮアップリンクリソースを要求することができる。典型的には、制御部４０７のようなネットワーク要素が、ＤＭＮ移動端末へのスケジュール情報の送信を制御する。
【００６５】
上述したスケジューリング技術を容易にするために、ある例では、ＤＭＮ移動端末は、第１の時間期間が生じるタイミングおよび第１の時間期間の継続時間を判断するスケジューリング部を含む。継続時間は、経過時間として明示的に示されてもよいし、ＤＭＮとしてのＣＣ２の利用の終了タイミングをとして暗示的に示されてもよい。これは図７に示される。
【００６６】
図７は、本発明の例によって構成されたＤＭＮ端末７０１の概要図を提供する。ＤＭＮ端末７０１は、データを送信および基地局から受信するトランシーバ部７０２を含む。トランシーバ部７０２は、スケジューリング部７０３に接続されている。上述した静的スケジューリング技術が利用される場合、スケジューリング部７０３は、スケジューリング部７０３に記憶された事前設定された情報に基づいて、第１の時間期間が生じるタイミングおよび第１の時間期間の継続時間を判断し得る。上述した動的スケジューリング技術が利用される場合、スケジューリング部は、ＣＣ２で例えば上述したＭＩＢのビットに基づいて送信されるスケジュール情報に基づいて、第１の時間期間が生じるタイミングおよび第１の時間期間の継続時間を判断し得る。
【００６７】
ＣＣ２でのＤＭＮモードとＬＴＥモードの間の切替え
ＬＴＥモードとＤＭＮモードの間の遷移が半静的基準または完全動的基準で行われる上述した例において、典型的には、スケジューリングは、図４に示した制御部４０７のようなＬＴＥコアネットワークおよびＤＭＮコアネットワークの双方に共通のネットワーク要素によって調整され得る。ある例では、ＬＴＥまたはＤＭＮデータのいずれのためのＣＣ２の利用のスケジューリングも任意基準で行われ得る。例えば、ネットワークオペレータによって制御部に入力されたスケジューリングパターンが反映される。これは、ＣＣ２がＤＭＮデータを夜中の所定の数時間にわたって送信する、または１０フレーム毎にデータを送信するように設定されるなどのケースであり得る。しかし、他の例では、ＣＣ２の利用のスケジューリングは、ネットワークのある状態に応じて動的に適用され得る。例えば、あるシナリオでは、制御部４０７は、ＬＴＥネットワークの１または２以上のネットワーク要素および／または１または２以上のＤＭＮの要素のトラフィック負荷をモニタし、またはＬＴＥおよびＤＭＮネットワークのネットワーク要素におけるトラフィック負荷に対応するモニタリングデータを受信する。例えば、トラフィックが閾値レベルを下回った場合、制御部４０７は、ＣＣ２をＬＴＥデータの送信からＤＭＮデータの送信に切替え得る。再度トラフィック負荷が閾値レベルを上回った場合および／または所定の時間期間が経過すると、制御部はネットワークにＣＣ２でＬＴＥデータの送信を開始させる。
【００６８】
他の例では、制御部は、ネットワーク内のＤＭＮ移動端末の存在を示すデータを受信し、それに応じてＣＣ２をＤＭＮモードに切り替えてもよい。ある例では、これは、ＣＣ２がＬＴＥまたはＤＭＮモードで動作しているかに関係なく、ＤＭＮ移動端末からのランダムアクセスプリアンブル送信をデコードするようにＣＣ２で動作している基地局を構成することにより達成される。
【００６９】
アップリンクにおけるＤＭＮおよびＬＴＥデータ送信
本発明のここまでの例は、ＤＭＮからＤＭＮ移動端末へ、およびＬＴＥネットワークからＬＴＥ端末へ通信されるデータに関して、主にダウンリンクの観点から説明した。これらの例では、ＣＣ２はダウンリンクキャリアアグリゲーションまたはＤＭＮデータのダウンリンク送信に利用される。
【００７０】
しかし、ＬＴＥシステムにおけるキャリアアグリゲーションとＤＭＮデータの送信のためにセカンダリキャリアの利用を交互させるコンセプトはアップリンクにもまた適用可能であることに理解されたい。アップリンクキャリアアグリゲーションにおいては、アップリンクコンポーネントキャリアへのアクセスは、ダウンリンクコンポーネントキャリアへのアクセスと同様の方法でネットワークによりスケジュールされる。ネットワークは、バッファ状態報告およびチャネル品質測定結果を用いて判断されたスケジューリング決定に基づいて端末にアグリゲーションされたコンポーネントキャリアを割当ててもよい。そして、ネットワークは、移動端末に追加的なコンポーネントキャリアへのアクセスを割当て、移動端末に適切な割当メッセージを送信する。
【００７１】
ここまで説明した実施形態に対して多様な変形を施し得る。例えば、本発明の実施形態は３ＧＰＰＬＴＥ規格に従って動作する移動無線ネットワークを用いる実施に準拠して説明した。しかし、本発明の本質はいかなる適切な無線通信技術およびキャリアアグリゲーションが利用され得るいかなるネットワーク構造を用いても実施可能であることに理解されたい。
【００７２】
さらに、上述したシステムが有する例えばｅＮｏｄｅＢおよびＤＭＮｅＮｏｄｅＢのような多様なネットワーク要素の特定の要素部分は、いくつかの例における論理的な表記である。従って、それらの要素部分が提供する機能は、上述した、および図面に示した形態と正確に一致しない方法で体現されてもよい。例えば、本発明の観点は、フロッピーディスク、光ディスク、ハードディスク、ＰＲＯＭ、ＲＡＭ、フラッシュメモリまたはこれらの組み合わせまたは他の記憶媒体などのデータサブキャリアに記憶された、または、イーサネット、無線ネットワーク、インターネット、またはこれらの組み合わせまたは他のネットワークのなどのネットワークでデータ信号を介して送信された、プロセッサによって実行される命令（すなわち、コンピュータプログラム）を有するコンピュータプログラムプロダクトの形態、または従前の均等装置に適用して使用することが適切なＡＣＩ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他の構成可能なまたは特注の回路などのハードウェアによって実現される。
【図１】
0005969025.tif 000002
【図２】
0005969025.tif 000003
【図３】
0005969025.tif 000004
【図４】
0005969025.tif 000005
【図５】
0005969025.tif 000006
【図６ａ】
0005969025.tif 000007
【図６ｂ】
0005969025.tif 000008
【図７】
0005969025.tif 000009